(57)【要約】  医療用検出デバイス（１）は操作者が入力した操作指令を受信し、前記操作指令が設定許可を行う旨を指示する指令である場合に、操作者に許可ファイルを入力するように促すステップ（１０１）と、前記操作者が入力した許可ファイルを受信し、前記許可ファイルが検証に合格した場合に、前記操作指令に対応する操作インタフェースを表示し、ここで、許可ファイルは、医療用検出デバイス（１）に挿入されているドングル（２）によって該デバイスの利用可能回数及びデバイス標識に基づいて生成されたものであるステップ（１０２）と、医療用検出デバイス（１）は、前記操作者が前記操作インタフェースに入力した設定内容を実行するステップ（１０３）とを含む医療用検出デバイスの使用制御方法、システム、及び医療用検出デバイス。該許可ファイルは、該医療用検出デバイス（１）に対して唯一であり、且つ非許可操作者に取得されにくいため、医療用検出デバイス（１）の使用操作の安全性を大幅に向上できる。
2018518998.tif 000002
【特許請求の範囲】
【請求項１】
粘弾性媒質に弾性せん断波を発生させる励起装置と、前記粘弾性媒質が前記弾性せん断波の作用により発生した変位の変位データを確認する捕捉装置と、を含み、且つ医療用検出デバイスの利用可能回数及びデバイス標識が記憶されたドングルが挿入された医療用検出デバイスの使用制御方法であって、
前記医療用検出デバイスは、操作者が入力した操作指令を受信し、前記操作指令が設定許可を行う旨を指示する指令である場合に、前記操作者に許可ファイルを入力するように促すステップと、
前記医療用検出デバイスは、前記操作者が入力した許可ファイルを受信し、前記許可ファイルが検証に合格した場合に、前記操作指令に対応する操作インタフェースを表示し、ここで、前記許可ファイルは、前記ドングルによって前記利用可能回数及び前記デバイス標識に基づいて生成されたものであるステップと、
前記医療用検出デバイスは、前記操作者が前記操作インタフェースに入力した設定内容を実行するステップと、
を含むことを特徴とする医療用検出デバイスの使用制御方法。
【請求項２】
前記医療用検出デバイスは、操作者が入力した前記ドングルのシリアル番号及び秘密キーを受信し、前記ドングルと前記医療用検出デバイスをバインディングするステップを更に含むことを特徴とする請求項１に記載の方法。
【請求項３】
前記医療用検出デバイスは、操作者のログイン要求を受信し、前記ドングルから前記利用可能回数を取得し、且つ使用ログから前記医療用検出デバイスの使用済み回数を取得するステップと、
前記使用済み回数が前記利用可能回数以下である場合に、前記医療用検出デバイスは、前記操作者がログインに成功したことを確定することで、前記操作者に前記医療用検出デバイスを使用して粘弾性媒質に弾性検出を行わせるステップと、を更に含むことを特徴とする請求項２に記載の方法。
【請求項４】
前記医療用検出デバイスは、前記粘弾性媒質に対する弾性検出を１回完了した場合に、前記使用済み回数に１を加えるように前記使用ログを更新し、前記ドングルに検出済み指示を送信することにより、前記ドングルは、前記検出済み指示に基づいて、前記利用可能回数から１を引くように前記利用可能回数を更新するステップを更に含むことを特徴とする請求項３に記載の方法。
【請求項５】
前記使用済み回数が前記利用可能回数より大きい場合に、前記医療用検出デバイスは、新しいドングルをバインディングするように促すステップと、
新しいドングルがバインディングされていない場合に、前記医療用検出デバイスは、前記操作者がログインに失敗したことを確定するステップと、を更に含むことを特徴とする請求項３に記載の方法。
【請求項６】
前記許可ファイルが記憶されたデバイスは、前記医療用検出デバイスと異なることを特徴とする請求項１〜５のいずれか一項に記載の方法。
【請求項７】
粘弾性媒質に弾性せん断波を発生させる励起装置と、前記粘弾性媒質が前記弾性せん断波の作用により発生した変位の変位データを確定する捕捉装置を含む医療用検出デバイスの使用制御システムであって、
前記システムは、前記医療用検出デバイス及びドングルを含み、前記ドングルが通信インタフェースを介して前記医療用検出デバイスに接続され、前記ドングルに前記医療用検出デバイスの利用可能回数及びデバイス標識が記憶されており、
前記医療用検出デバイスは、制御モジュール、送受信モジュール、表示モジュール、及び検証モジュールを更に含み、
前記送受信モジュールは、操作者が入力した操作指令を受信することに用いられ、
前記制御モジュールは、前記操作指令が設定許可を行う旨を指示する指令である場合に、前記操作者に許可ファイルを入力するように前記表示モジュールを制御することに用いられ、
前記送受信モジュールは、前記操作者が入力した許可ファイルを受信することにも用いられ、
前記検証モジュールは、前記許可ファイルを検証することに用いられ、
前記制御モジュールは、前記許可ファイルが検証に合格した場合に、前記操作指令に対応する操作インタフェースを表示するように前記表示モジュールを制御することにも用いられ、ここで、前記許可ファイルは、前記ドングルによって前記利用可能回数及び前記デバイス標識に基づいて生成されたものであり、
前記制御モジュールは、前記操作者が前記操作インタフェースに入力した設定内容を実行するように制御することにも用いられることを特徴とする医療用検出デバイスの使用制御システム。
【請求項８】
前記送受信モジュールは、操作者が入力した前記ドングルのシリアル番号及び秘密キーを受信することにも用いられ、
前記制御モジュールは、前記ドングルと前記医療用検出デバイスをバインディングすることにも用いられることを特徴とする請求項７に記載のシステム。
【請求項９】
前記送受信モジュールは、操作者のログイン要求を受信することにも用いられ、
前記制御モジュールは、前記ドングルから前記利用可能回数を取得し、且つ使用ログから前記医療用検出デバイスの使用済み回数を取得することにも用いられ、
前記制御モジュールは、前記使用済み回数が前記利用可能回数以下である場合に、前記操作者がログインに成功したことを確定することで、前記操作者に前記医療用検出デバイスを使用して粘弾性媒質に弾性検出を行わせることにも用いられることを特徴とする請求項８に記載のシステム。
【請求項１０】
前記制御モジュールは、前記医療用検出デバイスが粘弾性媒質に対する弾性検出を１回完了した場合に、前記使用済み回数に１を加えるように前記使用ログを更新し、前記送受信モジュールにより前記ドングルに検出済み指示を送信することにより、前記ドングルは、前記検出済み指示に基づいて、前記利用可能回数から１を引くように前記利用可能回数を更新することにも用いられることを特徴とする請求項９に記載のシステム。
【請求項１１】
前記制御モジュールは、前記使用済み回数が前記利用可能回数より大きい場合に、前記表示モジュールを制御することで新しいドングルをバインディングするように促し、新しいドングルがバインディングされていない場合に、前記操作者がログインに失敗したことを確定することにも用いられることを特徴とする請求項９に記載のシステム。
【請求項１２】
前記許可ファイルが記憶されたデバイスは、前記医療用検出デバイスと異なることを特徴とする請求項７〜１１のいずれか一項に記載のシステム。
【請求項１３】
医療用検出デバイスの利用可能回数及びデバイス標識が記憶されたドングルが挿入された医療用検出デバイスであって、
前記医療用検出デバイスは、操作者が入力した操作指令を受信し、前記操作指令が設定許可を行う旨を指示する指令である場合に、前記操作者に許可ファイルを入力するように促し、
前記医療用検出デバイスは、前記操作者が入力した許可ファイルを受信し、前記許可ファイルが検証に合格した場合に、前記操作指令に対応する操作インタフェースを表示し、ここで、前記許可ファイルは、前記ドングルによって前記利用可能回数及び前記デバイス標識に基づいて生成されたものであり、
前記医療用検出デバイスは、前記操作者が前記操作インタフェースに入力した設定内容を実行するように、作動することを特徴とする医療用検出デバイス。
【発明の詳細な説明】
【技術分野】
【０００１】
本発明は、データセキュリティの技術分野に属し、具体的には、医療用検出デバイスの使用制御方法、システム、及び医療用検出デバイスに関する。
【背景技術】
【０００２】
近年、弾性イメージング技術は、迅速に発展している。この技術は、粘弾性媒質の弾性分布の定量的な情報を所得できるため、非常に重要な臨床的価値及び幅広い使用見込みを有する。弾性イメージング技術の発展に伴い、人体等の粘弾性媒質に弾性検出を行う種々の弾性検出デバイスは、幅広く使用されてきた。このような弾性検出デバイスは、独立した医療用検出デバイスとなるように構成されてもよいが、関連するその他の検出デバイスと共に医療用検出デバイスに集積構成とされてもよい。
【０００３】
独立して構成される弾性検出デバイス等のようなその他の検出デバイスも同様であるが、集積構成を例とすると、従来の医療用検出デバイスには、一般的に、プロセッサー及びプロセッサーに内蔵されたアプリケーションソフトウェアが設けられており、この医療用検出デバイスに対して、例えばメンテナンス、設定等の操作を行おうとするときに、操作者はアプリケーションソフトウェアにログインする必要があり、合法性が認証されて初めて対応する操作を行うことができる。
【０００４】
現在、操作者が特殊な指令を入力することで特定のインタフェースで関連する許可操作を行うことにより、医療用検出デバイスの操作許可を実現している。
【０００５】
しかしながら、特殊な指令を平文で表示していないにもかかわらず、操作者のボタン押し等の入力操作が他人に見られて記録される恐れがあるため、セキュリティ問題があり、また、医療用検出デバイス及びアプリケーションソフトウェアの開発者に深刻な利益損失を与える場合がある。
【発明の概要】
【発明が解決しようとする課題】
【０００６】
従来技術の問題を解決するために、本発明は、指令入力とドングルによる許可の組合せにより、従来技術における、指令入力のみで医療用検出デバイスのメンテナンス操作を行うことによるセキュリティ問題を克服する医療用検出デバイスの使用制御方法、システム及び医療用検出デバイスを提供する。
【０００７】
本発明の実施例の第１態様は、医療用検出デバイスの使用制御方法を提供する。上記医療用検出デバイスは、粘弾性媒質に弾性せん断波を発生させる励起装置と、上記粘弾性媒質が上記弾性せん断波の作用により発生した変位の変位データを確定する捕捉装置と、を含み、上記医療用検出デバイスにドングルが挿入され、上記ドングルに上記医療用検出デバイスの利用可能回数及びデバイス標識が記憶されており、上記方法は、
上記医療用検出デバイスは、操作者が入力した操作指令を受信し、上記操作指令が設定許可を行う旨を指示する指令である場合に、上記操作者に許可ファイルを入力するように促すステップと、
上記医療用検出デバイスは、上記操作者が入力した許可ファイルを受信し、上記許可ファイルが検証に合格した場合に、上記操作指令に対応する操作インタフェースを表示し、ここで、上記許可ファイルは、上記ドングルによって上記利用可能回数及び上記デバイス標識に基づいて生成されたものであるステップと、
上記医療用検出デバイスは、上記操作者が上記操作インタフェースに入力した設定内容を実行するステップと、を含む。
【０００８】
第１態様の第１可能な実施形態において、上記方法は、
上記医療用検出デバイスは、操作者が入力した上記ドングルのシリアル番号及び秘密キーを受信し、上記ドングルと上記医療用検出デバイスをバインディングするステップを更に含む。
【０００９】
第１態様の第１可能な実施形態によれば、第１態様の第２可能な実施形態において、上記方法は、
上記医療用検出デバイスは、操作者のログイン要求を受信し、上記ドングルから上記利用可能回数を取得し、且つ使用ログから上記医療用検出デバイスの使用済み回数を取得するステップと、
上記使用済み回数が上記利用可能回数以下である場合に、上記医療用検出デバイスは、上記操作者がログインに成功したことを確定することで、上記操作者に上記医療用検出デバイスを使用して粘弾性媒質に弾性検出を行わせるステップと、を更に含む。
【００１０】
第１態様の第２可能な実施形態によれば、第１態様の第３可能な実施形態において、上記方法は、
上記医療用検出デバイスは、上記粘弾性媒質に対する弾性検出を１回完了した場合に、上記使用済み回数に１を加えるように上記使用ログを更新し、上記ドングルに検出済み指示を送信することにより、上記ドングルは、上記検出済み指示に基づいて、上記利用可能回数から１を引くように上記利用可能回数を更新するステップを更に含む。
【００１１】
第１態様の第２可能な実施形態によれば、第１態様の第４可能な実施形態において、上記方法は、
上記使用済み回数が上記利用可能回数より大きい場合に、上記医療用検出デバイスは、新しいドングルをバインディングするように促すステップと、
新しいドングルがバインディングされていない場合に、上記医療用検出デバイスは、上記操作者がログインに失敗したことを確定するステップと、を更に含む。
【００１２】
第１態様、第１態様の第１、第２、第３又は第４可能な実施形態によれば、第１態様の第５可能な実施形態において、上記許可ファイルが記憶されたデバイスは、上記医療用検出デバイスと異なる。
【００１３】
本発明の実施例の第２態様は、医療用検出デバイスの使用制御システムを提供する。上記医療用検出デバイスは、粘弾性媒質に弾性せん断波を発生させる励起装置と、上記粘弾性媒質が上記弾性せん断波の作用により発生した変位の変位データを確定する捕捉装置と、を含み、上記システムは、
上記医療用検出デバイス及びドングルを含み、上記ドングルが通信インタフェースを介して上記医療用検出デバイスに接続され、上記ドングルに上記医療用検出デバイスの利用可能回数及びデバイス標識が記憶されており、
上記医療用検出デバイスは、制御モジュール、送受信モジュール、表示モジュール、及び検証モジュールを更に含み、
上記送受信モジュールは、操作者が入力した操作指令を受信することに用いられ、
上記制御モジュールは、上記操作指令が設定許可を行う旨を指示する指令である場合に、上記操作者に許可ファイルを入力するように上記表示モジュールを制御することに用いられ、
上記送受信モジュールは、上記操作者が入力した許可ファイルを受信することにも用いられ、
上記検証モジュールは、上記許可ファイルを検証することに用いられ、
上記制御モジュールは、上記許可ファイルが検証に合格した場合に、上記操作指令に対応する操作インタフェースを表示するように上記表示モジュールを制御することにも用いられ、ここで、上記許可ファイルは、上記ドングルによって上記利用可能回数及び上記デバイス標識に基づいて生成されたものであり、
上記制御モジュールは、上記操作者が上記操作インタフェースに入力した設定内容を実行するように制御することにも用いられる。
【００１４】
第２態様の第１可能な実施形態において、上記送受信モジュールは、操作者が入力した上記ドングルのシリアル番号及び秘密キーを受信することにも用いられ、
上記制御モジュールは、上記ドングルと上記医療用検出デバイスをバインディングすることにも用いられる。
【００１５】
第２態様の第１可能な実施形態によれば、第２態様の第２可能な実施形態において、上記送受信モジュールは、操作者のログイン要求を受信することにも用いられ、
上記制御モジュールは、上記ドングルから上記利用可能回数を取得し、且つ使用ログから上記医療用検出デバイスの使用済み回数を取得することにも用いられ、
上記制御モジュールは、上記使用済み回数が上記利用可能回数以下である場合に、上記操作者がログインに成功したことを確定することで、上記操作者に上記医療用検出デバイスを使用して粘弾性媒質に弾性検出を行わせることにも用いられる。
【００１６】
第２態様の第２可能な実施形態によれば、第２態様の第３可能な実施形態において、上記制御モジュールは、上記医療用検出デバイスが粘弾性媒質に対する弾性検出を１回完了した場合に、上記使用済み回数に１を加えるように上記使用ログを更新し、上記送受信モジュールにより上記ドングルに検出済み指示を送信することにより、上記ドングルは、上記検出済み指示に基づいて、上記利用可能回数から１を引くように上記利用可能回数を更新することにも用いられる。
【００１７】
第２態様の第２可能な実施形態によれば、第２態様の第４種可能な実施形態において、上記制御モジュールは、上記使用済み回数が上記利用可能回数より大きい場合に、上記表示モジュールを制御することで新しいドングルをバインディングするように促し、新しいドングルがバインディングされていない場合に、上記操作者がログインに失敗したことを確定することにも用いられる。
【００１８】
第２態様、第２態様の第１、第２、第３又は第４可能な実施形態によれば、第２態様の第５可能な実施形態において、上記許可ファイルが記憶されたデバイスは、上記医療用検出デバイスと異なる。
【００１９】
本発明の実施例の第３態様は、医療用検出デバイスを提供する。上記医療用検出デバイスにドングルが挿入されており、上記ドングルに上記医療用検出デバイスの利用可能回数及びデバイス標識が記憶されている。上記医療用検出デバイスは、以下のように作動する。
上記医療用検出デバイスは、操作者が入力した操作指令を受信し、上記操作指令が設定許可を行う旨を指示する指令である場合に、上記操作者に許可ファイルを入力するように促し、
上記医療用検出デバイスは、上記操作者が入力した許可ファイルを受信し、上記許可ファイルが検証に合格した場合に、上記操作指令に対応する操作インタフェースを表示し、ここで、上記許可ファイルは、上記ドングルによって上記利用可能回数及び上記デバイス標識に基づいて生成されたものであり、
上記医療用検出デバイスは、上記操作者が上記操作インタフェースに入力した設定内容を実行する。
【００２０】
本発明に提供される医療用検出デバイスの使用制御方法、システム及び医療用検出デバイスでは、医療用検出デバイスに設定許可の操作を行う際に、操作者が操作指令を入力することにより許可ファイル入力の促進インタフェースに入り、操作者が正確な許可ファイルを入力した場合に、この操作者がこの医療用検出デバイスの設定権限を有することを示し、この医療用検出デバイスに対応する操作を行うことができる。上記許可ファイルは、ドングルによって医療用検出デバイスのデバイス標識、利用可能回数等のデータに基づいて予めに生成されたものであるため、この許可ファイルは、この医療用検出デバイスに対して唯一性があり、且つ、非許可操作者は容易に取得できないため、医療用検出デバイスの使用操作の安全性を大幅に向上できる。
【図面の簡単な説明】
【００２１】
【図１】本発明の医療用検出デバイスの使用制御方法の実施例１のフローチャートである。
【図２】本発明の医療用検出デバイスの使用制御方法の実施例２のフローチャートである。
【図３】本発明の医療用検出デバイスの使用制御システムの実施例１の模式図である。
【発明を実施するための形態】
【００２２】
本発明の実施例の目的、技術手段、及び利点をより明確にするために、以下、本発明の実施例の図面を参照しながら、本発明の実施例における技術手段を詳しく説明する。以下の実施例は、本発明のすべての実施例の一部に過ぎない。本発明の実施例に基づいて、当業者が創造的労働をせず得られるすべての他の実施例は、本発明の保護範囲に含まれる。
【００２３】
図１は、本発明の医療用検出デバイスの使用制御方法の実施例１のフローチャートである。本実施例において、該医療用検出デバイスは、特に、人体に弾性検出を行って、人体の変位データを取得する弾性検出デバイスを指す。該変位データは、医療用検出デバイスにより被験者の粘弾性媒質に弾性検出を行なって得られるものである。該医療用検出デバイスは、被験者の粘弾性媒質に弾性せん断波を発生させる励起装置と、上記粘弾性媒質が上記弾性せん断波の作用により発生した変位の変位データを確定する捕捉装置とを含む。該励起装置及び捕捉装置の作動原理について、簡単に言えば、肝臓のような粘弾性器官媒質の表面において、励起装置により粘弾性媒質に弾性せん断波を励起し、即ち振動信号を発生し、粘弾性媒質が該振動信号の作用により振動し、さらに、捕捉装置が該粘弾性媒質に超音波信号を送信し、弾性力学原理に基づいて、該粘弾性媒質がエコー波を発生して応答する。異なる状態（正常状態又は病理学的状態）によって、粘弾性器官媒質の弾性応力又は弾性ひずみが異なるため、捕捉装置は、圧力を加えられる前後のエコー信号に基づいて計算して該粘弾性媒質の変位データを得る。図１に示すように、該医療用検出デバイスの使用制御方法は、以下のステップを含む。
ステップ１０１：医療用検出デバイスは、操作者が入力した操作指令を受信し、上記操作指令が設定許可を行う旨を指示する指令である場合に、上記操作者に許可ファイルを入力するように促す。
ステップ１０２：医療用検出デバイスは、上記操作者が入力した許可ファイルを受信し、上記許可ファイルが検証に合格した場合に、上記操作指令に対応する操作インタフェースを表示する。
ステップ１０３：医療用検出デバイスは、上記操作者が上記操作インタフェースに入力した設定内容を実行する。
【００２４】
本実施例において、医療用検出デバイスは、通信インタフェースを介して１つのドングルに接続される。該通信インタフェースは、例えば、ＵＳＢ２．０、ＵＳＢ３．０、イーサネット（登録商標）インタフェース、ＩＥＥＥ１３９４、ｅＳＡＴＡ、ＵＳＢＰＬＵＳ、ＴｈｕｎｄｅｒＢｏｌｔ等の通信インタフェースであることができる。
【００２５】
該ドングルに上記医療用検出デバイスの利用可能回数及びデバイス標識が記憶されている。ドングルは、該利用可能回数及び該デバイス標識等の該医療用検出デバイスの属性情報に基づいて、許可ファイルを生成する。該許可ファイルは、該医療用検出デバイス、又は他のデバイスに記憶されている。該他のデバイスは、該医療用検出デバイスと異なるデバイスである。該ドングルにより医療用検出デバイスの操作のセキュリティ保護を実現する。
【００２６】
一般的には、医療用検出デバイスにメンテナンス、設定等の操作を行う権限を有する操作者は、医療用検出デバイスを用いて被験者の粘弾性媒質に弾性検出を行う者、例えば医師ではなく、専門人員である。また、専門人員による医療用検出デバイスに対するメンテナンス又は設定は、デバイスの生産者又はデバイスのアプリケーションソフトウェアの開発者の利益に関わる場合が多いため、上記利益の保障、及び医療用検出デバイスのセキュリティの確保のために、操作者の権限を確認し、言い換えると、特定の権限を有する操作者に許可を行うことにより、対応する権限を有する場合のみに、医療用検出デバイスに設定操作を行うことができるようにする必要がある。この設定操作は、例えば、医療用検出デバイスのパラメータを設定すること、医療用検出デバイスにメンテナンスを行うこと、及び該医療用検出デバイスを用いて弾性検出を行うことができる使用者に許可設定を行うこと等である。
【００２７】
本実施例において、操作者は、医療用検出デバイスに設定操作を行おうとするときに、設定権限を有する必要がある。具体的に、本実施は、以下のような、現在の操作者が設定権限を有するか否かを確定する方式を提供する。
まず、操作者は、特定の操作指令を入力することにより、許可ファイルを入力するインタフェースに入る。該操作指令は、設定許可を行う旨を指示する指令であり、予め設定することができる。該操作者が該設定許可指令を入力できると、該操作者が医療用検出デバイスの設定権限を有する可能性があることを示す。
【００２８】
次いで、該操作者が医療用検出デバイスの設定権限を有するか否かを最終的に確認するために、さらに、許可ファイルを入力するインタフェースに、操作者に許可ファイルを入力するように促し、該操作者が正確な許可ファイルを入力できると、該操作者が医療用検出デバイスの設定権限を有することを示す。入力した許可ファイルが検証に合格した場合に、対応する操作インタフェースを表示し、操作者が該操作インタフェースに関連する設定内容を入力することができ、医療用検出デバイスが該設定を実行する。ここで、許可ファイルが検証に合格したということは、例えば、許可ファイルにおけるデバイス標識が真正な医療用検出デバイスの標識であり、利用可能回数が合理的で最大閾値以下に制限されていることである。
【００２９】
上記許可ファイルは、ドングルによって、デバイスの属性情報である該医療用検出デバイスの現在利用可能回数、及び該デバイスの標識に基づいて生成されたものである。上記デバイスの属性情報には、例えば、デバイスの位置情報、生産者情報等を含んでも良い。該許可ファイルは、医療用検出デバイスに対して唯一であることで、１つのドングルによる複数の医療用検出デバイスの使用により不正使用を引き起こしやすい問題を回避できる。また、上記許可ファイルは、該医療用検出デバイスに記憶されてもよいが、他のデバイス、例えば、医療用検出デバイスの生産者の管理デバイスに記憶されてもよい。該許可ファイルの記憶アドレスは、一般の使用者が取得しにくいものであって、特定の権限を有する操作者だけ取得可能なものである。それによって、該医療用検出デバイスの許可ファイルを入力できる操作者だけが、医療用検出デバイスの設定権限を有する操作者として最終的に認定される。
【００３０】
本実施例において、医療用検出デバイスにメンテナンス許可、又は使用許可操作を行う際に、操作者が指令を入力することにより、許可ファイル入力の促進インタフェースに入り、該操作者が正確な許可ファイルを入力した場合に、該操作者が該医療用検出デバイスのメンテナンス又は使用権限を有することを示し、該操作者が該医療用検出デバイスに対応する操作を行うことができる。該許可ファイルは、ドングルによって該医療用検出デバイスのデバイス標識、利用可能回数等のデータに基づいて予め生成されたものであるため、該許可ファイルは、該医療用検出デバイスに対して唯一であり、且つ、非許可操作者、即ち、不正操作者に取得されにくいため、医療用検出デバイスの使用操作の安全性を大幅に向上できる。
【００３１】
図２は、本発明の医療用検出デバイスの使用制御方法の実施例２のフローチャートである。図２に示すように、図１に示される実施例において、医療用検出デバイスに対する設定操作以外について、該医療用検出デバイスによる粘弾性媒質の弾性検出は、以下のように達成できる。
ステップ２０１：医療用検出デバイスは、操作者が入力した上記ドングルのシリアル番号及び秘密キーを受信し、上記ドングルと上記医療用検出デバイスをバインディングする。
【００３２】
本実施例において、操作者とは、特に該医療用検出デバイスを用いて粘弾性媒質に弾性検出を行う使用者、例えば医師をいう。
【００３３】
該操作者が該医療用検出デバイスを用いて粘弾性媒質に弾性検出を行う際に、まず、ドングルを挿入し、該ドングルのシリアル番号及び秘密キーを入力することにより、該ドングルと該医療用検出デバイスをバインディングする。
【００３４】
ドングルのシリアル番号及び秘密キーの入力により、ある程度に操作者の身分を確認することもできる。つまり、正確なシリアル番号及び秘密キーを入力して初めて、該操作者は、該医療用検出デバイスの使用権限を有する使用者である。
【００３５】
ステップ２０２：医療用検出デバイスは、操作者のログイン要求を受信し、上記ドングルから上記利用可能回数を取得し、且つ使用ログから上記医療用検出デバイスの使用済み回数を取得する。
ステップ２０３：医療用検出デバイスは、上記使用済み回数が上記利用可能回数以下であるか否かを判断し、「はい」と判断した場合に、ステップ２０４−２０５を実行し、「いいえ」と判断した場合に、ステップ２０６を実行する。
ステップ２０４：医療用検出デバイスは、上記操作者がログインに成功したことを確定することで、上記操作者に上記医療用検出デバイスを用いて粘弾性媒質に弾性検出を行わせる。
【００３６】
該医療用検出デバイスを用いて弾性検出を正常に行うことができるために、操作者は、まずアプリケーションシステムのログインを行う必要がある。操作者がログイン情報を入力するときに、医療用検出デバイスは、通信インタフェースを介してドングルと紐付けされ、ドングルから該医療用検出デバイスの現在の利用可能回数を取得し、且つローカルに記憶された使用ログから該医療用検出デバイスの使用済み回数を取得する。なお、医療用検出デバイスとドングルとの通信に異常が発生し、上記利用可能回数を読み込んで取得できない場合、操作者がログインに失敗したことを直接確定し、医療用検出デバイスを使用することができない。
【００３７】
該医療用検出デバイスの現在の使用済み回数が現在の利用可能回数以下である場合、操作者がログインに成功したことを確定し、操作者が該医療用検出デバイスを用いて粘弾性媒質に弾性検出を行うことができる。
【００３８】
ステップ２０５：医療用検出デバイスは、上記粘弾性媒質に対する弾性検出を１回完了した場合に、上記使用済み回数に１を加えるように上記使用ログを更新し、上記ドングルに検出済み指示を送信することにより、上記ドングルは、上記検出済み指示に基づいて、上記利用可能回数から１を引くように上記利用可能回数を更新する。
【００３９】
ドングルに記憶されている利用可能回数、及び医療用検出デバイスの使用ログにおける使用済み回数は、該医療用検出デバイスの使用状況に基づいてリアルタイムに更新される。具体的には、医療用検出デバイスが粘弾性媒質に対する弾性検出を１回完了した場合に、上記利用可能回数及び使用済み回数を更新する必要がある。使用済み回数の更新は、使用済み回数に１を加えるように使用ログを更新することである。利用可能回数の更新は、ドングルに検出済み指示を送信することにより、ドングルが該検出済み指示に基づいて利用可能回数から１を引くように利用可能回数を更新することである。このように、次回に該医療用検出デバイスを用いて弾性検出を行うときの利用可能回数及び使用済み回数は、更新後の回数となる。
【００４０】
なお、操作者は、ログインに１回成功した後、複数回の弾性検出を行う場合がある。毎回の検出済みの判断は、例えば、被験者の身分情報の変化、又は操作者が入力した完了指示等に基づいて判断できるが、この限りでない。
【００４１】
ステップ２０６：医療用検出デバイスは、新しいドングルをバインディングするように促し、新しいドングルがバインディングされていない場合に、上記医療用検出デバイスは、上記操作者がログインに失敗したことを確定する。
【００４２】
上記医療用検出デバイスの使用済み回数が現在の利用可能回数より大きい場合に、医療用検出デバイスは、操作者に新しいドングルをバインディングするように促すことができ、新しいドングルがバインディングされていない場合に、操作者がログインに失敗したことを確定し、該医療用検出デバイスを用いて弾性検出を行うことができない。
【００４３】
本実施例において、医療用検出デバイスを用いて粘弾性媒質の弾性情報を検出する過程において、まず、ドングルのバインディングにより操作者の身分を確認し、さらに、ドングルから読み込んだ該医療用検出デバイスの現在の利用可能回数、及び該医療用検出デバイスの使用済み回数で比較し、利用可能回数及び使用済み回数に準じて、医療用検出デバイスを使用できるか否かを判断することにより、医療用検出デバイスの使用過程に対する認証を実現する。
【００４４】
図３は、本発明の医療用検出デバイスの使用制御システムの実施例１の模式図である。図３に示すように、該システムは、医療用検出デバイス１及びドングル２を含み、上記ドングル２は、通信インタフェースを介して上記医療用検出デバイス１に接続され、上記ドングル２に上記医療用検出デバイス１の利用可能回数及びデバイス標識が記憶されている。
上記医療用検出デバイス１は、粘弾性媒質に弾性せん断波を発生させる励起装置１１と、上記粘弾性媒質が上記弾性せん断波の作用により発生した変位データを確認する捕捉装置１２を含む。
上記医療用検出デバイス１は、制御モジュール１３、送受信モジュール１４、表示モジュール１５、及び検証モジュール１６を更に含む。
上記送受信モジュール１４は、操作者が入力した操作指令を受信することに用いられる。
上記制御モジュール１３は、上記操作指令が設定許可を行う旨を指示する指令である場合に、上記表示モジュール１５を上記操作者に許可ファイルを入力するように制御することに用いられる。
上記送受信モジュール１４は、上記操作者が入力した許可ファイルを受信することにも用いられる。
上記検証モジュール１６は、上記許可ファイルを検証することに用いられる。
上記制御モジュール１３は、上記許可ファイルが検証に合格した場合に、上記表示モジュール１５を上記操作指令に対応する操作インタフェースを表示するように制御することにも用いられ、ここで、上記許可ファイルは、上記ドングルによって上記利用可能回数及び上記デバイス標識に基づいて生成されたものである。
上記制御モジュール１３は、上記操作者が上記操作インタフェースに入力した設定内容を実行するように制御することにも用いられる。
【００４５】
上記許可ファイルは、上記医療用検出デバイス１、又は他のデバイスに記憶されている。上記他のデバイスは、上記医療用検出デバイス１と異なるデバイスである。
【００４６】
さらに、上記送受信モジュール１４は、操作者が入力した上記ドングルのシリアル番号及び秘密キーを受信することにも用いられる。
上記制御モジュール１３は、上記ドングル２と上記医療用検出デバイス１をバインディングすることにも用いられる。
【００４７】
さらに、上記送受信モジュール１４は、操作者のログイン要求を受信することにも用いられる。
上記制御モジュール１３は、上記ドングル２から上記利用可能回数を取得し、且つ使用ログから上記医療用検出デバイス１の使用済み回数を取得することにも用いられる。
上記制御モジュール１３は、上記使用済み回数が上記利用可能回数以下である場合に、上記操作者がログインに成功したことを確定することにより、上記操作者に上記医療用検出デバイス１を用いて粘弾性媒質に弾性検出を行わせる。
【００４８】
さらに、上記制御モジュール１３は、上記医療用検出デバイス１が粘弾性媒質に対する弾性検出を１回完了した場合に、上記使用済み回数に１を加えるように上記使用ログを更新し、上記送受信モジュール１４により上記ドングル２に検出済み指示を送信することにより、上記ドングル２は、上記検出済み指示に基づいて、上記利用可能回数から１を引くように上記利用可能回数を更新することにも用いられる。
【００４９】
さらに、上記制御モジュール１３は、上記使用済み回数が上記利用可能回数より大きい場合に、上記表示モジュール１５を制御することで新しいドングルをバインディングするように促し、新しいドングルがバインディングされていない場合に、上記操作者がログインに失敗したことを確定することにも用いられる。
【００５０】
なお、本実施例の上記医療用検出デバイスは、特に弾性検出デバイスをいう。
【００５１】
本実施例の制御システムは、図１、２に示す方法の実行に用いることができ、その原理及び技術効果が上述したものに類似するため、ここでは、説明を省略する。
【００５２】
さらに、上記弾性検出デバイスに限らない一般的な種々の医療用検出デバイスにおいて、上記医療用検出デバイスにドングルが挿入されて、上記ドングルに上記医療用検出デバイスの利用可能回数及びデバイス標識が記憶されており、上記医療用検出デバイスは、以下のように作動する。
上記医療用検出デバイスは、操作者が入力した操作指令を受信し、上記操作指令が設定許可を行う旨を指示する指令である場合に、上記操作者に許可ファイルを入力するように促し、
上記医療用検出デバイスは、上記操作者が入力した許可ファイルを受信し、上記許可ファイルが検証に合格した場合に、上記操作指令に対応する操作インタフェースを表示し、ここで、上記許可ファイルは、上記ドングルによって上記利用可能回数及び上記デバイス標識に基づいて生成されたものであり、
上記医療用検出デバイスは、上記操作者が上記操作インタフェースに入力した設定内容を実行する。
【００５３】
本実施例において、医療用検出デバイスにメンテナンス許可、又は使用許可操作を行う際に、操作者が指令を入力することにより、許可ファイル入力の促進インタフェースに入り、該操作者が正確な許可ファイルを入力した場合に、該操作者が該医療用検出デバイスに対応する操作を行うことができる。該許可ファイルは、ドングルによって該医療用検出デバイスのデバイス標識、利用可能回数等のデータに基づいて予め生成されたものであるため、該許可ファイルは、該医療用検出デバイスに対して唯一であり、且つ、非許可操作者、即ち、不正操作者に取得されにくいため、医療用検出デバイスの使用操作の安全性を大幅に向上できる。
【００５４】
当業者であれば理解できるように、上記方法実施例の全部又は一部のステップは、プログラム指令に関連するハードウェアにより実行でき、上記プログラムは、コンピュータ読み取り可能な記憶媒質に記憶されることができ、該プログラムが実行される際に、上記方法実施例のステップが実行され、上記記憶媒質は、ＲＯＭ、ＲＡＭ、磁気ディスク又はレーザーディスク(登録商標)等のプログラムコードを記憶できる媒質を含む。
【００５５】
以上の各実施例は、本発明の技術手段を説明するに過ぎず、本発明を制限するものではない。上記の各実施例により本発明を詳しく説明したが、当業者であれば、上記各実施例に記載されている技術手段を修正し、又は全部若しくは一部の技術特徴を同等置換することができ、これらの修正又は置換も、本発明の各実施例の技術手段の範囲内に含まれる。
【図１】
2018518998.tif 000003
【図２】
2018518998.tif 000004
【図３】
2018518998.tif 000005
【国際調査報告】
2018518998.tif 000006
2018518998.tif 000007
2018518998.tif 000008
2018518998.tif 000009